【手続補正書】
【提出日】平成16年1月30日(2004.1.30)
【手続補正１】
【補正対象書類名】特許請求の範囲
【補正対象項目名】全文
【補正方法】変更
【補正の内容】
【特許請求の範囲】
【請求項１】
ユーザ・プロファイルに基づき、ターゲットがユーザに設定されたコンテンツを有するメディア・オブジェクトを送信するシステムであって、
ターゲットがユーザ・プロファイルに設定されたコンテンツを有するメディア・オブジェクトを受信する入力ポートと、
その入力ポートに接続された送信装置であって、前記メディア・オブジェクトを番組信号で、前記ユーザ・プロファイルに関連付けられたユーザに送信するものと
を含み、その送信装置は、前記入力ポートから前記メディア・オブジェクトを受信すると、そのメディア・オブジェクトによってターゲットが設定された前記ユーザ・プロファイルを決定し、そのユーザ・プロファイルに関連付けられたユーザを特定し、その特定されたユーザに前記メディア・オブジェクトを送信するものであるシステム。
【請求項２】
ターゲットがユーザ・プロファイルに設定されたコンテンツを有するメディア・オブジェクトであって前記ユーザ・プロファイルに関連付けられたユーザに送信システムによって送信される番組信号内に含まれるものを作成するシステムであって、
ターゲットがユーザ・プロファイルに設定されたコンテンツを有するメディア・オブジェクトを作成するメディア・オブジェクト・クリエータと、
前記ユーザ・プロファイルに関連付けられたユーザに前記メディア・オブジェクトを番組信号で送信する送信システムに前記メディア・オブジェクトを転送することを容易にするインターフェイスと
を含み、
前記メディア・オブジェクト・クリエータは、メディア・オブジェクトを作成し、そのメディア・オブジェクトのためのターゲットとしてユーザ・プロファイルを特定し、前記メディア・オブジェクトを出力するものであり、
送信装置は、そのメディア・オブジェクトを受信すると、そのメディア・オブジェクトによってターゲットが設定された前記ユーザ・プロファイルを決定し、そのターゲットが設定されたユーザ・プロファイルに関連付けられたユーザに前記メディア・オブジェクトを送信するシステム。
【請求項３】
ターゲットがユーザ・プロファイルに設定されたコンテンツを有するメディア・オブジェクトを送信するシステムであって、
ターゲットがユーザ・プロファイルに設定されたコンテンツを有するメディア・オブジェクトを取得する取得手段と、
前記ターゲットが設定されたユーザ・プロファイルに関連付けられたユーザを特定するユーザ特定手段と、
そのユーザに前記メディア・オブジェクトを番組信号で送信する送信手段と
を含み、前記送信手段は、前記メディア・オブジェクトによってターゲットが設定された前記ユーザ・プロファイルを決定し、そのユーザ・プロファイルに関連付けられた少なくとも一人のユーザを特定し、そのユーザに前記メディア・オブジェクトを送信するシステム。
【請求項４】
ターゲットがユーザ・プロファイルに設定されたコンテンツを有するメディア・オブジェクトを送信する方法であって、
ターゲットがユーザ・プロファイルに設定されたコンテンツを有するメディア・オブジェクトを取得する取得工程と、
そのメディア・オブジェクトによってターゲットが設定された前記ユーザ・プロファイルを特定するユーザ・プロファイル特定工程と、
そのユーザ・プロファイルに関連付けられた少なくとも一人のユーザを特定するユーザ特定工程と、
前記メディア・オブジェクトを番組信号で、前記ユーザ・プロファイルに関連付けられた前記少なくとも一人のユーザに送信する送信工程と
を含み、前記番組信号を受信すると、前記メディア・オブジェクトが、前記ユーザ・プロファイルに関連付けられた前記ユーザに提供される方法。
【請求項５】
ターゲットがユーザ・プロファイルに設定されたコンテンツを有するメディア・オブジェクトであって前記ユーザ・プロファイルに関連付けられたユーザに送信装置によって送信される番組信号内に含まれるものを作成する方法であって、
ターゲットがユーザ・プロファイルに設定されたコンテンツを有するメディア・オブジェクトを作成する作成工程と、
そのメディア・オブジェクトを、前記ユーザ・プロファイルに関連付けられたユーザに前記メディア・オブジェクトを番組信号で送信する送信装置に出力する出力工程と
を含み、前記送信装置は、前記メディア・オブジェクトによってターゲットが設定された前記ユーザ・プロファイルを特定し、そのユーザ・プロファイルに関連付けられた少なくとも一人のユーザを特定し、そのユーザに前記メディア・オブジェクトを番組信号で送信するものである方法。
【請求項６】
ターゲットがユーザ・プロファイルに設定されたコンテンツを有するメディア・オブジェクトを提供するシステムであって、
ターゲットがユーザ・プロファイルに設定されたコンテンツを有する少なくとも一つのメディア・オブジェクトを有する番組信号を受信し、その番組信号から前記メディア・オブジェクトを抽出し、そのメディア・オブジェクトを出力する受信システムと、
その受信システムと通信する提供装置であって、前記受信システムから前記メディア・オブジェクトを受信し、そのメディア・オブジェクトを、前記ユーザ・プロファイルに関連付けられたユーザに提供するものと
を含み、そのユーザに前記メディア・オブジェクトが提供されると、前記ユーザ・プロファイルに基づき、ターゲットが前記ユーザに設定されたコンテンツがそのユーザに提供されるシステム。
【請求項７】
ターゲットがユーザ・プロファイルに設定されたコンテンツを有するメディア・オブジェクトを提供するシステムであって、
受信システムであって、
送信システムから、ターゲットが第１のユーザ・プロファイルに設定されたコンテンツを有する少なくとも一つのメディア・オブジェクトを含む番組信号を受信するトランシーバと、
そのトランシーバに接続され、少なくとも一つのメディア・オブジェクトを前記番組信号から選択する少なくとも一つのデマルチプレクサと、
そのデマルチプレクサに接続され、そのデマルチプレクサによって選択された前記メディア・オブジェクトを格納するバッファと、
それらデマルチプレクサとバッファとに接続され、前記メディア・オブジェクトを伸張する伸長器と、
その伸長器に接続され、前記伸張されたメディア・オブジェクトを複合信号に合成するコンポジション・ジェネレータと、
それらトランシーバとバッファと伸長器とコンポジション・ジェネレータとに接続され、前記受信システムの作動を制御するコントローラと
をさらに含むものと、
その受信システムと通信する提供装置であって、前記複合信号を受信し、その複合信号を前記ユーザに提供するものと、
前記受信システムと通信し、前記ユーザに関連付けられた第２のユーザ・プロファイルを提供するユーザ・プロファイリング・システムと、
前記受信システムと通信し、番組信号を選択するユーザ入力装置と、
前記受信システムと通信し、少なくとも一つのメディア・オブジェクトを格納するデータ記憶装置と
を含み、前記受信システムは、少なくとも一つのメディア・オブジェクトを有する番組信号をユーザが選択すると、前記第２のユーザ・プロファイルが前記第１のユーザ・プロファイルと一致するか否かを判定するために前記ユーザ・プロファイリング・システムに問い合わせ、一致する場合には、前記受信システムは、前記番組信号から前記メディア・オブジェクトを読み出し、そのメディア・オブジェクトを伸張し、そのメディア・オブジェクトを複合信号に合成し、その複合信号を前記提供装置に出力するシステム。
【請求項８】
ターゲットがユーザ・プロファイルに設定されたコンテンツを有するメディア・オブジェクトを提供する方法であって、
ターゲットがユーザ・プロファイルに設定されたコンテンツを有する少なくとも一つのメディア・オブジェクトを含む番組信号を受信する受信工程と、
前記ユーザ・プロファイルに関連付けられたユーザを特定する特定工程と、
前記ユーザ・プロファイルに基づき、前記番組信号から少なくとも一つのメディア・オブジェクトを選択する選択工程と、
そのメディア・オブジェクトを前記ユーザに提供するメディア・オブジェクト提供工程と
を含む方法。
【請求項９】
ターゲットがユーザ・プロファイルに設定されたコンテンツを提供するメディア・オブジェクトであって番組信号内に含まれるもののユーザによる選択に基づいてユーザ・プロファイルを作成するシステムであって、
ターゲットがユーザ・プロファイルに設定されたコンテンツをそれぞれ提供する少なくとも二つのメディア・オブジェクトを番組信号で受信する受信システムと、
その受信システムに接続され、前記少なくとも二つのメディア・オブジェクトを前記ユーザに提供する提供システムと、
その提供された少なくとも二つのメディア・オブジェクトのうちの一つを選択するユーザ入力装置と、
ユーザによる各選択結果を記録するデータ記憶装置と、
前記ユーザに提供されたメディア・オブジェクトについてのユーザによる選択結果の集まりに基づいてユーザ・プロファイルを作成するユーザ・プロファイリング・システムと
を含み、そのユーザ・プロファイルは、メディア・オブジェクトのうち、前記番組信号内に含ませて前記ユーザに提供すべきものを決定するために、後続する番組信号内において利用されるシステム。
【請求項１０】
ターゲットがユーザ・プロファイルに設定されたコンテンツを有するメディア・オブジェクトであって番組信号内に提供されるとともにユーザによって選択されるものに基づいてユーザ・プロファイルを作成する方法であって、
ターゲットがユーザ・プロファイルに設定されたコンテンツをそれぞれ有する少なくとも二つのメディア・オブジェクトを含む番組信号を受信する番組信号受信工程と、
その番組信号をユーザに提供する提供工程と、
前記ユーザからの応答であって、前記番組信号内に提供された少なくとも二つのメディア・オブジェクトのうちの少なくとも一つをユーザが選択した結果を示すものを受信する応答受信工程と、
前記ユーザからの応答に基づいてユーザ・プロファイルを作成する作成工程と
を含む方法。
【請求項１１】
ターゲットがユーザ・プロファイルに設定されたコンテンツを有するメディア・オブジェクトを送り出す方法であって、
ユーザについてユーザ・プロファイルを取得するユーザ・プロファイル取得工程と、
そのユーザが受信することを希望する特定の番組信号を指定する番組信号選択結果を前記ユーザから受信する番組信号選択結果受信工程と、
前記選択された番組信号内の少なくとも一つのメディア・オブジェクトであって前記ユーザ・プロファイルに基づいて前記ユーザに送り出されるものを前記ユーザに送信する送信工程と、
メディア・オブジェクトを前記番組信号から抽出する抽出工程と、
その抽出されたメディア・オブジェクトを前記ユーザに提供する提供工程と
を含み、ターゲットが前記ユーザに設定されたコンテンツが、前記抽出されたメディア・オブジェクトを介して前記ユーザに送り出される方法。
【請求項１２】
前記番組信号選択結果が、受信システムに通信されるものであり、当該方法が、
メディア・オブジェクトのうち、与えられたユーザ・プロファイルにつき、与えられた番組信号内において選択すべきものを指定する少なくとも一つのプロファイリング規則にアクセスするアクセス工程と、
前記番組信号内におけるメディア・オブジェクトのうち選択して前記ユーザに提供すべきものを決定する場合に、前記選択された番組信号と、前記ユーザ・プロファイルと、前記プロファイリング規則とを互いに関連付ける関連付け工程と
をさらに含む請求項１１に記載の方法。
【請求項１３】
当該方法が、追加的なメディア・オブジェクトをユーザに送り出すプッシュ工程をさらに含み、前記追加的なメディア・オブジェクトは、前記番組信号から抽出された少なくとも一つのメディア・オブジェクトに関連する請求項８に記載の方法。
【請求項１４】
当該方法が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、ゲーム・コンソールと、電話システムと、セット・トップ・ボックスとから成るグループから選択された装置内において、少なくとも部分的に実施される請求項８に記載の方法。
【請求項１５】
前記受信システムが、
送信装置から前記番組信号を受信するトランシーバと、
そのトランシーバに接続され、ターゲットがユーザ・プロファイルに設定されたコンテンツを有する少なくとも一つのメディア・オブジェクトを前記番組信号から選択する少なくとも一つのデマルチプレクサと、
そのデマルチプレクサに接続され、そのデマルチプレクサによって選択された前記メディア・オブジェクトを格納するバッファと、
それらデマルチプレクサとバッファとに接続された伸長器であって、前記メディア・オブジェクトを伸張し、伸張されたメディア・オブジェクトを出力するものと、
その伸長器に接続されたコンポジション・ジェネレータであって、少なくとも一つの伸張されたメディア・オブジェクトを受信し、その受信されたメディア・オブジェクトを複合信号に合成するものと、
それらトランシーバとバッファと伸長器とコンポジション・ジェネレータとに接続され、前記受信システムの作動を制御するコントローラであって、前記トランシーバと前記デマルチプレクサと前記バッファと前記伸長器と前記コンポジション・ジェネレータとのそれぞれにタイミング・同期化信号を供給し、前記番組信号内に提供される少なくとも二つのメディア・オブジェクト間の空間的および時間的な関係を同期化するタイミング・同期化ユニットをさらに有するものと
をさらに含む請求項６に記載のシステム。
【請求項１６】
当該システムが、前記受信システムと通信するユーザ入力装置であって、前記番組信号で受信した少なくとも一つのメディア・オブジェクトを選択するものをさらに含む請求項６または９に記載のシステム。
【請求項１７】
さらに、
前記受信システムと通信し、前記ユーザに関連付けられた少なくとも一つのユーザ・プロファイルを提供するユーザ・プロファイリング・システムを含み、
前記受信システムは、メディア・オブジェクトを受信すると、前記ユーザに関連付けられたユーザ・プロファイルを前記ユーザ・プロファイリング・システムから取得し、前記メディア・オブジェクトによってターゲットが設定されたユーザ・プロファイルと、前記ユーザに関連付けられたユーザ・プロファイルとが互いに一致するか否かを判定し、その判定結果に基づき、互いに一致する場合には、前記ユーザに前記メディア・オブジェクトを提供するように前記提供装置を指令し、互いに一致しない場合には、前記メディア・オブジェクトを提供しないように前記提供装置を指令する請求項６に記載のシステム。
【請求項１８】
前記ユーザ・プロファイリング・システムが、少なくとも二つのプロファイルを作成し、前記第１のユーザ・プロファイルは、成人視聴者に関連付けられ、前記第２のユーザ・プロファイルは、未成年の視聴者に関連付けられる請求項１７に記載のシステム。
【請求項１９】
前記提供装置が、テレビと、家庭用娯楽システムと、コンピュータ・ワークステーションと、パーソナル・データ・アシスタントと、バーチャル・リアリティ・システムと、ビデオ提供システムと、オーディオ提供システムと、音声再生システムと、電話システムと、ゲーム・コンソールと、ケーブル・ボックスと、セット・トップ・ボックスとから成るグループから選択された少なくとも一つの装置を利用する請求項６または７に記載のシステム。
【請求項２０】
当該方法が、
第１のユーザ・プロファイルに関連付けられた第１のメディア・オブジェクトと、第２のユーザ・プロファイルに関連付けられた第２のメディア・オブジェクトとを作成する作成工程と、
前記ユーザについての識別結果に基づき、前記第１のメディア・オブジェクトと前記第２のメディア・オブジェクトとの少なくとも一方を前記送信装置に出力する出力工程と
をさらに含み、前記メディア・オブジェクトを作成するシステムが前記ユーザについての識別結果を受信しない場合には、前記第１のメディア・オブジェクトと前記第２のメディア・オブジェクトとの双方が出力され、前記ユーザが、第１のユーザ・プロファイルに関連付けられて識別される場合には、前記第１のメディア・オブジェクトが出力され、前記ユーザが、第２のユーザ・プロファイルに関連付けられて識別される場合には、前記第２のメディア・オブジェクトが出力される請求項５に記載の方法。
【請求項２１】
当該方法が、ユーザと、前記メディア・オブジェクトを送信するシステムとの間において、チャット・インターフェイス、電子メールインターフェイス、またはインスタント・メッセージ・インターフェイスを確立する確立工程をさらに含み、前記インターフェイスは、通信を容易にするために少なくとも一つもメディア・オブジェクトを利用する請求項４に記載の方法。
【請求項２２】
前記番組信号が、広告に関連するコンテンツを有する少なくとも一つのメディア・オブジェクトを含む請求項１，２，３，６，７，９，１５，１６，１７，１８または１９に記載のシステム。
【請求項２３】
前記番組信号が、広告に関連するコンテンツを有する少なくとも一つのメディア・オブジェクトを含む請求項４，５，８，１０，１１，１２，１３，１４，２０または２１に記載の方法。
【請求項２４】
前記番組信号が、ニュース番組と、スポーツ番組と、バーチャル・リアリティ番組と、娯楽番組と、音楽ビデオと、ゲームショー番組と、動画番組と、ビデオ番組と、生番組と、オーディオ番組と、世論調査と、教育番組と、非営利番組と、記録済み番組とから成るグループから選択された少なくとも一つの番組タイプに関連するコンテンツを有する少なくとも一つのメディア・オブジェクトを含む請求項１，２，３，６，７，９，１５，１６，１７，１８，１９または２２に記載のシステム。
【請求項２５】
前記番組信号が、ニュース番組と、スポーツ番組と、バーチャル・リアリティ番組と、娯楽番組と、音楽ビデオと、ゲームショー番組と、動画番組と、ビデオ番組と、生番組と、オーディオ番組と、世論調査と、教育番組と、非営利番組と、記録済み番組とから成るグループから選択された少なくとも一つの番組タイプに関連するコンテンツを有する少なくとも一つのメディア・オブジェクトを含む請求項４，５，８，１０，１１，１２，１３，１４，２０，２１または２３に記載の方法。
【請求項２６】
前記メディア・オブジェクトと前記番組信号との少なくとも一方が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで構成される請求項１，２，３，６，７，９，１５，１６，１７，１８，１９，２２または２４に記載のシステム。
【請求項２７】
前記メディア・オブジェクトと前記番組信号との少なくとも一方が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで構成される請求項４，５，８，１０，１１，１２，１３，１４，２０，２１，２３または２５に記載の方法。
【請求項２８】
前記番組信号が、前記ユーザにストリーミングされる請求項３または６に記載のシステム。
【請求項２９】
前記番組信号が、前記ユーザにストリーミングされる請求項８に記載の方法。
【請求項３０】
前記メディア・オブジェクトまたは番組信号が、コンパクト・ディスクと、デジタル多用途ディスクと、ビデオテープと、ゲーム・カートリッジと、メモリ・スティックと、磁気記憶媒体と、光学記憶媒体と、フラッシュ・メモリと、ランダム・アクセス・メモリと、リード・オンリ・メモリとから成るグループから選択されたデータ記憶媒体に保存される請求項１，２または６に記載のシステム。
【請求項３１】
前記メディア・オブジェクトまたは番組信号が、コンパクト・ディスクと、デジタル多用途ディスクと、ビデオテープと、ゲーム・カートリッジと、メモリ・スティックと、磁気記憶媒体と、光学記憶媒体と、フラッシュ・メモリと、ランダム・アクセス・メモリと、リード・オンリ・メモリとから成るグループから選択されたデータ記憶媒体に保存される請求項８に記載の方法。
【請求項３２】
前記ユーザ・プロファイルが、ユーザによって作成される請求項１，２，３，６，７，９，１５，１６，１７，１８，１９，２２，２４，２８または３０に記載のシステム。
【請求項３３】
前記ユーザ・プロファイルがユーザによって作成される請求項４，５，８，１０，１１，１２，１３，１４，２０，２１，２３，２５，２９または３１に記載の方法。
【請求項３４】
前記ユーザ・プロファイルが、調査に対するユーザの回答結果と、人口統計的情報と、ユーザの視聴習慣と、番組信号の継続中におけるユーザによるメディア・オブジェクトの選択結果と、購買行動と、少なくとも二人のユーザからの視聴習慣の集計結果と、統計的情報と、地域別情報とから成るグループから選択された情報に基づくものである請求項１，２，３，６，７，９，１５，１６，１７，１８，１９，２２，２４，２８，３０または３２に記載のシステム。
【請求項３５】
前記ユーザ・プロファイルが、調査に対するユーザの回答結果と、人口統計的情報と、ユーザの視聴習慣と、番組信号の継続中におけるユーザによるメディア・オブジェクトの選択結果と、購買行動と、少なくとも二人のユーザからの視聴習慣の集計結果と、統計的情報と、地域別情報とから成るグループから選択された情報に基づくものである請求項４，５，８，１０，１１，１２，１３，１４，２０，２１，２３，２５，２９，３１または３３に記載の方法。
【請求項３６】
前記番組信号と、前記メディア・オブジェクトと、前記複合信号との少なくとも一つが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成された信号をさらに含む請求項１，２，３または６に記載のシステム。
【請求項３７】
前記番組信号と、前記メディア・オブジェクトと、前記複合信号との少なくとも一つが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成された信号をさらに含む請求項４，８または１１に記載の方法。
【手続補正２】
【補正対象書類名】明細書
【補正対象項目名】００１０
【補正方法】変更
【補正の内容】
【００１０】
本発明によれば、下記の様態が提供される。
（１）  ユーザ・プロファイルに基づき、ターゲットがユーザに設定されたコンテンツを有するメディア・オブジェクトを送信するメディア・オブジェクト送信システムであって、
ターゲットがユーザ・プロファイルに設定されたコンテンツを有するメディア・オブジェクトを受信する入力ポートと、
その入力ポートに接続された送信装置であって、前記メディア・オブジェクトを番組信号で、前記ユーザ・プロファイルに関連付けられたユーザに送信するものと
を含み、その送信装置は、前記入力ポートから前記メディア・オブジェクトを受信すると、そのメディア・オブジェクトによってターゲットが設定された前記ユーザ・プロファイルを決定し、そのユーザ・プロファイルに関連付けられたユーザを特定し、その特定されたユーザに前記メディア・オブジェクトを送信するものであるメディア・オブジェクト送信システム。
（２）  前記ユーザ・プロファイルが、調査に対するユーザの回答結果と、人口統計的情報と、ユーザの視聴習慣と、番組信号の継続中におけるユーザによるメディア・オブジェクトの選択結果と、購買行動と、少なくとも二人のユーザからの視聴習慣の集計結果と、統計的情報と、地域別情報とから成るグループから選択された情報に基づくものである（１）項に記載のメディア・オブジェクト送信システム。
（３）  前記ユーザ・プロファイルが、前記送信装置と同じ場所に配置されたユーザ・プロファイリング・システムによって作成される（２）項に記載のメディア・オブジェクト送信システム。
（４）  前記番組信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成される信号をさらに含む（１）項に記載のメディア・オブジェクト送信システム。
（５）  前記番組信号が、放送と、マイクロ波と、ミリ波と、無線と、有線と、衛星と、ケーブルと、光ファイバとから成るグループから選択された通信媒体を介して受信システムに前記送信装置によって送信される（１）項に記載のメディア・オブジェクト送信システム。
（６）  前記メディア・オブジェクトが、放送と、無線と、有線と、マイクロ波と、ミリ波と、衛星と、ケーブルと、光ファイバとから成るグループから選択された通信媒体を通じて前記入力ポートによって受信される（１）項に記載のメディア・オブジェクト送信システム。
（７）  前記送信装置が、テレビ放送システムと、ラジオ放送システムと、マイクロ波システムと、ミリ波システムと、赤外線システムと、ワイヤレス・テレコミュニケーション・システムと、衛星放送システムとから成るグループから選択された無線システムをさらに含む（１）項に記載のメディア・オブジェクト送信システム。
（８）  前記送信装置が、ケーブルと、同軸ケーブルと、ツイスト・ペア・ケーブルと、光ファイバ・ケーブルと、電話ケーブルと、クローズド・サーキット・ケーブルとから成るグループから選択された通信媒体を利用する有線システムをさらに含む（１）項に記載のメディア・オブジェクト送信システム。
（９）  前記入力ポートが、コンパクト・ディスクと、デジタル多用途ディスクと、ビデオテープと、ゲーム・カートリッジと、メモリ・スティックと、磁気記憶媒体と、光学記憶媒体と、フラッシュ・メモリと、ランダム・アクセス・メモリと、リード・オンリ・メモリとから成るグループから選択されたデータ記憶媒体からスタンド・アローン型システムを介して前記メディア・オブジェクトを受信する（１）項に記載のメディア・オブジェクト送信システム。
（１０）  前記送信装置が、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択された少なくとも一つのネットワークを介して前記番組信号を前記ユーザに送信する（１）項に記載のメディア・オブジェクト送信システム。
（１１）  前記番組信号が、前記ネットワークを通じて前記ユーザにストリーミングされる（１０）項に記載のメディア・オブジェクト送信システム。
（１２）  前記メディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで送信される（１）項に記載のメディア・オブジェクト送信システム。
（１３）  前記送信装置が、前記番組信号を送信するために、ＲＴＰと、ＵＤＰと、ＴＣＰ／ＩＰと、ＡＴＭとから成るグループから選択された通信プロトコルを利用する（１）項に記載のメディア・オブジェクト送信システム。
（１４）  前記番組信号が、ニュース番組と、スポーツ番組と、バーチャル・リアリティ番組と、娯楽番組と、音楽ビデオと、ゲームショー番組と、動画番組と、ビデオ番組と、生番組と、オーディオ番組と、世論調査と、教育番組と、非営利番組と、記録済み番組とから成るグループから選択された少なくとも一つの番組タイプに関連するコンテンツを有する少なくとも一つのメディア・オブジェクトを含む（１）項に記載のメディア・オブジェクト送信システム。
（１５）  前記番組信号が、広告に関連するコンテンツを有する少なくとも一つのメディア・オブジェクトを含む（１）項に記載のメディア・オブジェクト送信システム。
（１６）  前記送信装置が、前記入力ポートから第１のメディア・オブジェクトと第２のメディア・オブジェクトとを受信し、それら第１のメディア・オブジェクトと第２のメディア・オブジェクトとを複合番組信号に合成し、その複合番組信号を送信し、受信システムは、その複合番組信号を受信すると、前記ユーザ・プロファイルに基づき、前記第１のメディア・オブジェクトと前記第２のメディア・オブジェクトとの一方を選択する（１）項に記載のメディア・オブジェクト送信システム。
（１７）  ターゲットがユーザ・プロファイルに設定されたコンテンツを有するメディア・オブジェクトであって前記ユーザ・プロファイルに関連付けられたユーザに送信システムによって送信される番組信号内に含まれるものを作成するメディア・オブジェクト作成システムであって、
ターゲットがユーザ・プロファイルに設定されたコンテンツを有するメディア・オブジェクトを作成するメディア・オブジェクト・クリエータと、
前記ユーザ・プロファイルに関連付けられたユーザに前記メディア・オブジェクトを番組信号で送信する送信システムに前記メディア・オブジェクトを転送することを容易にするインターフェイスと
を含み、
前記メディア・オブジェクト・クリエータは、メディア・オブジェクトを作成し、そのメディア・オブジェクトのためのターゲットとしてユーザ・プロファイルを特定し、前記メディア・オブジェクトを出力するものであり、
送信装置は、そのメディア・オブジェクトを受信すると、そのメディア・オブジェクトによってターゲットが設定された前記ユーザ・プロファイルを決定し、そのターゲットが設定されたユーザ・プロファイルに関連付けられたユーザに前記メディア・オブジェクトを送信するメディア・オブジェクト作成システム。
（１８）  前記ユーザ・プロファイルが、調査に対するユーザの回答結果と、人口統計的情報と、ユーザの視聴習慣と、番組信号の継続中におけるユーザによるメディア・オブジェクトの選択結果と、購買行動と、少なくとも二人のユーザからの視聴習慣の集計結果と、統計的情報と、地域別情報とから成るグループから選択された情報に基づくものである（１７）項に記載のメディア・オブジェクト作成システム。
（１９）  前記ユーザ・プロファイルが、前記メディア・オブジェクト・クリエータと同じ場所に配置されるユーザ・プロファイリング・システムによって作成される（１８）項に記載のメディア・オブジェクト作成システム。
（２０）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されれたコンテンツとが複合されたコンテンツと、コンピュータによって作成されたコンテンツとから成るグループから選択されたフォームで構成された信号をさらに含む（１７）項に記載のメディア・オブジェクト作成システム。
（２１）  前記インターフェイスが、放送と、マイクロ波と、ミリ波と、無線と、有線と、衛星と、ケーブルと、光ファイバとから成るグループから選択された通信媒体をさらに含む（１７）項に記載のメディア・オブジェクト作成システム。
（２２）  前記メディア・オブジェクト・クリエータが、コンパクト・ディスクと、デジタル多用途ディスクと、ビデオテープと、ゲーム・カートリッジと、メモリ・スティックと、フラッシュ・メモリと、磁気記憶媒体と、光学記憶媒体と、ランダム・アクセス・メモリと、リード・オンリ・メモリとから成るグループから選択されたデータ記憶媒体に記憶させるためにメディア・オブジェクトを作成する（１７）項に記載のメディア・オブジェクト作成システム。
（２３）  前記メディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで前記送信装置に転送される（１７）項に記載のメディア・オブジェクト作成システム。
（２４）  前記メディア・オブジェクトが、ニュース番組と、スポーツ番組と、バーチャル・リアリティ番組と、娯楽番組と、音楽ビデオと、ゲームショー番組と、動画番組と、ビデオ番組と、生番組と、教育番組と、オーディオ番組と、世論調査と、非営利番組と、記録済み番組とから成るグループから選択された少なくとも一つの番組タイプに関連するコンテンツを含む（１７）項に記載のメディア・オブジェクト作成システム。
（２５）  前記メディア・オブジェクトが、広告に関連するコンテンツを含む（１７）項に記載のメディア・オブジェクト作成システム。
（２６）  少なくとも二つのメディア・オブジェクトを送信するメディア・オブジェクト送信システムであって、各メディア・オブジェクトは、ターゲットが少なくとも一つのユーザ・プロファイルに設定されたコンテンツを有しており、前記少なくとも二つのメディア・オブジェクトを受信する受信システムが、ユーザが前記ユーザ・プロファイルのうちの一つに関連付けられることに基づき、そのユーザに提供するためのメディア・オブジェクトを選択するものであるメディア・オブジェクト送信システムであって、
番組信号内に組み込むために、少なくとも二つのメディア・オブジェクトを受信する入力ポートであって、各メディア・オブジェクトは、ターゲットが唯一のユーザ・プロファイルに設定されたコンテンツを有するものと、
その入力ポートに接続された送信装置であって、前記入力ポートにおいて受信された各メディア・オブジェクトを有する番組信号を送信するものと
を含み、受信システムは、その番組信号を受信すると、前記番組信号で受信された各メディア・オブジェクトのターゲットとされた前記ユーザ・プロファイルを特定し、ユーザに関連付けられたユーザ・プロファイルを決定し、前記ユーザに関連付けられた前記ユーザ・プロファイルにターゲットが設定されたコンテンツを有するメディア・オブジェクトを選択し、その選択されたメディア・オブジェクトを前記ユーザに提供するために提供システムに出力するメディア・オブジェクト送信システム。
（２７）  第１のメディア・オブジェクトが、ターゲットが第１のユーザ・プロファイルに設定されたコンテンツを含み、第２のメディア・オブジェクトが、ターゲットが第２のユーザ・プロファイルに設定されたコンテンツを含む（２６）項に記載のメディア・オブジェクト送信システム。
（２８）  第１のメディア・オブジェクトと第２のメディア・オブジェクトとが、共に、ターゲットが第１のユーザ・プロファイルに設定されたコンテンツを含む（２６）項に記載のメディア・オブジェクト送信システム。
（２９）  前記ユーザ・プロファイルが、調査に対するユーザの回答結果と、人口統計的情報と、ユーザの視聴習慣と、購買行動と、統計的情報と、番組信号の継続中におけるユーザによるメディア・オブジェクトの選択結果と、地域別情報とから成るグループから選択された情報に基づくものである（２６）項に記載のメディア・オブジェクト送信システム。
（３０）  前記番組信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成された信号をさらに含む（２６）項に記載のメディア・オブジェクト送信システム。
（３１）  前記番組信号が、放送と、無線と、有線と、マイクロ波と、ミリ波と、衛星と、ケーブルと、光ファイバとから成るグループから選択された通信媒体を介して前記送信装置によって前記受信システムに送信される（２６）項に記載のメディア・オブジェクト送信システム。
（３２）  前記入力ポートが、コンパクト・ディスクと、デジタル多用途ディスクと、ビデオテープと、ゲーム・カートリッジと、メモリ・スティックと、磁気記憶媒体と、光学記憶媒体と、フラッシュ・メモリと、ランダム・アクセス・メモリと、リード・オンリ・メモリとから成るグループから選択されたデータ記憶媒体からスタンド・アローン型システムを介して前記メディア・オブジェクトのうちの少なくとも一つを受信する（２６）項に記載のメディア・オブジェクト送信システム。
（３３）  前記メディア・オブジェクトのうちの少なくとも一つが、ニュース番組と、スポーツ番組と、バーチャル・リアリティ番組と、娯楽番組と、音楽ビデオと、ゲームショー番組と、動画番組と、教育番組と、ビデオ番組と、生番組と、オーディオ番組と、世論調査と、非営利番組と、記録済み番組とから成るグループから選択された少なくとも一つの番組タイプに関連するコンテンツを含む（２６）項に記載のメディア・オブジェクト送信システム。
（３４）  前記メディア・オブジェクトのうちの少なくとも一つが、広告に関連するコンテンツを含む（２６）項に記載のメディア・オブジェクト送信システム。
（３５）  ターゲットがユーザ・プロファイルに設定されたコンテンツを有するメディア・オブジェクトを送信するメディア・オブジェクト送信システムであって、
ターゲットがユーザ・プロファイルに設定されたコンテンツを有するメディア・オブジェクトを取得する取得手段と、
前記ターゲットが設定されたユーザ・プロファイルに関連付けられたユーザを特定するユーザ特定手段と、
そのユーザに前記メディア・オブジェクトを番組信号で送信する送信手段と
を含み、前記送信手段は、前記メディア・オブジェクトによってターゲットが設定された前記ユーザ・プロファイルを決定し、そのユーザ・プロファイルに関連付けられた少なくとも一人のユーザを特定し、そのユーザに前記メディア・オブジェクトを送信するメディア・オブジェクト送信システム。
（３６）  前記番組信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティ・データと、生データと、記録済みデータと、自然データと、合成データと、自然データと合成データとが複合されたデータと、コンピュータによって作成されたデータとから成るグループから選択されたフォームで構成された信号を含む（３５）項に記載のメディア・オブジェクト送信システム。
（３７）  前記メディア・オブジェクトをベースとするコンテンツが、放送と、無線と、マイクロ波と、ミリ波と、衛星と、ケーブルと、光ファイバとから成るグループから選択された通信媒体を介して取得される（３５）項に記載のメディア・オブジェクト送信システム。
（３８）  前記メディア・オブジェクトが、ＭＰＥＧ−１と、ＭＰＥＧ−２と、ＭＰＥＧ−４と、ＭＰＥＧ−７と、ＪＰＥＧと、ＧＩＦと、クイックタイムと、アクティブムービーと、ＤＶＩと、インディオとから成るグループから選択されたフォーマットで構成された少なくとも一つのメディア・オブジェクトを含む（３５）項に記載のメディア・オブジェクト送信システム。
（３９）  前記送信手段が、ＲＴＰと、ＵＤＰと、ＴＣＰ／ＩＰと、ＡＴＭとから成るグループから選択された通信プロトコルを利用する（３５）項に記載のメディア・オブジェクト送信システム。
（４０）  前記送信手段が、前記番組信号を前記ユーザにストリーミングする（３５）項に記載のメディア・オブジェクト送信システム。
（４１）  前記番組信号が、ニュース番組と、スポーツ番組と、娯楽番組と、音楽ビデオと、ゲームショー番組と、動画番組と、ビデオ番組と、生番組と、オーディオ番組と、非営利番組と、世論調査と、記録済み番組とから成るグループから選択された少なくとも一つの番組タイプに関連するコンテンツを提供する少なくとも一つのメディア・オブジェクトを含む（３６）項に記載のメディア・オブジェクト送信システム。
（４２）  前記番組信号が、広告に関連するコンテンツを提供する少なくとも一つのメディア・オブジェクトを含む（３５）項に記載のメディア・オブジェクト送信システム。
（４３）  前記ユーザ・プロファイルが、調査に対するユーザの回答結果と、人口統計的情報と、購買行動と、地域別情報と、視聴習慣と、番組信号の継続中におけるメディア・オブジェクトの選択結果とから成るグループから選択された情報に基づくものである（３５）項に記載のメディア・オブジェクト送信システム。
（４４）  当該メディア・オブジェクト送信システムが、前記メディア・オブジェクトを前記番組信号で送信するのに先立ってデータを格納するデータ格納手段をさらに含む（３５）項に記載のメディア・オブジェクト送信システム。
（４５）  前記データ格納手段が、コンパクト・ディスクと、デジタル多用途ディスクと、ゲーム・カートリッジと、メモリ・スティックと、磁気記憶媒体と、光学記憶媒体と、ランダム・アクセス・メモリと、リード・オンリ・メモリと、フラッシュ・メモリと、ハード・ディスク・ドライブと、フロッピ・ディスクとから成るグループから選択された少なくとも一つの記憶媒体をさらに含む（４４）項に記載のメディア・オブジェクト送信システム。
（４６）  前記ユーザ特定手段が、インターネットと、イントラネットと、プライベート・ネットワークと、ＡＴＭネットワークと、有線ネットワークと、無線ネットワークと、ワイド・エリア・ネットワークと、ローカル・エリア・ネットワークと、公衆ネットワークとから成るグループから選択された少なくとも一つのネットワークによってアクセス可能なウェブサイトをさらに含む（３５）項に記載のメディア・オブジェクト送信システム。
（４７）  ターゲットがユーザ・プロファイルに設定された、メディア・オブジェクトをベースとするメディア・オブジェクト・ベース・コンテンツであって、前記ユーザ・プロファイルに関連付けられたユーザに送信装置によって送信される番組信号内に含まれるものを作成するメディア・オブジェクト・ベース・コンテンツ作成システムであって、
ターゲットがユーザ・プロファイルに設定されたコンテンツを有するメディア・オブジェクトを作成するメディア・オブジェクト作成手段と、
そのメディア・オブジェクトを番組信号で、前記ユーザ・プロファイルに関連付けられたユーザに送信する送信装置に供給する供給手段と
を含み、
前記作成手段は、ユーザ・プロファイルを、前記メディア・オブジェクト内に含まれる前記コンテンツのためのターゲットとして特定し、そのメディア・オブジェクトを前記送信装置に出力するものであり、
前記送信装置は、そのメディア・オブジェクトを受信すると、前記作成手段によってターゲットが設定された前記ユーザ・プロファイルを決定し、その決定されたユーザ・プロファイルに関連付けられたユーザに前記メディア・オブジェクトを送信するものであるメディア・オブジェクト・ベース・コンテンツ作成システム。
（４８）  前記メディア・オブジェクト作成手段が、テレビ・プロデューサと、ラジオ番組プロデューサと、インターネット・コンテンツ・クリエータと、動画プロデューサと、スポーツ番組プロデューサと、ゲームショー・プロデューサと、バーチャル・リアリティ番組プロデューサと、音楽ビデオ・プロデューサと、広告プロデューサと、生イベント・プロデューサと、記録済みイベント・プロデューサと、世論調査員とをさらに含む（４７）項に記載のメディア・オブジェクト・ベース・コンテンツ作成システム。
（４９）  前記ユーザ・プロファイルが、調査に対するユーザの回答結果と、人口統計的情報と、ユーザの視聴習慣と、番組信号の継続中におけるユーザによるメディア・オブジェクトの選択結果と、少なくとも二人のユーザからの視聴習慣の集計結果と、ユーザの購買行動と、統計的情報と、地域別情報とから成るグループから選択された情報に基づくものである（４７）項に記載のメディア・オブジェクト・ベース・コンテンツ作成システム。
（５０）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成された信号をさらに含む（４７）項に記載のメディア・オブジェクト・ベース・コンテンツ作成システム。
（５１）  前記メディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットを利用して作成される（４７）項に記載のメディア・オブジェクト・ベース・コンテンツ作成システム。
（５２）  ターゲットがユーザ・プロファイルに設定されたコンテンツを有するメディア・オブジェクトを送信するメディア・オブジェクト送信方法であって、
ターゲットがユーザ・プロファイルに設定されたコンテンツを有するメディア・オブジェクトを取得する取得工程と、
そのメディア・オブジェクトによってターゲットが設定された前記ユーザ・プロファイルを特定するユーザ・プロファイル特定工程と、
そのユーザ・プロファイルに関連付けられた少なくとも一人のユーザを特定するユーザ特定工程と、
前記メディア・オブジェクトを番組信号で、前記ユーザ・プロファイルに関連付けられた前記少なくとも一人のユーザに送信する送信工程と
を含み、前記番組信号を受信すると、前記メディア・オブジェクトが、前記ユーザ・プロファイルに関連付けられた前記ユーザに提供されるメディア・オブジェクト送信方法。
（５３）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティ・データと、生データと、記録済みデータと、自然データと、合成データと、自然データと合成データとが複合されたデータと、コンピュータによって作成されたデータとから成るグループから選択されたフォームで構成されたコンテンツをさらに含む（５２）項に記載のメディア・オブジェクト送信方法。
（５４）  前記取得されたメディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで構成されたものである（５２）項に記載のメディア・オブジェクト送信方法。
（５５）  前記メディア・オブジェクトが、放送と、無線と、衛星と、ケーブルと、光ファイバとから成るグループから選択された通信媒体を介して送信される番組信号で前記ユーザに送信される（５２）項に記載のメディア・オブジェクト送信方法。
（５６）  前記メディア・オブジェクトが、ニュース番組と、スポーツ番組と、娯楽番組と、音楽ビデオと、ゲームショー番組と、動画番組と、ビデオ番組と、生番組と、オーディオ番組と、非営利番組と、世論調査と、記録済み番組とから成るグループから選択された少なくとも一つの番組タイプに関連するコンテンツを含む（５２）項に記載のメディア・オブジェクト送信方法。
（５７）  前記メディア・オブジェクトが、広告に関連するコンテンツを含む（５２）項に記載のメディア・オブジェクト送信方法。
（５８）  当該メディア・オブジェクト送信方法が、ユーザと、前記メディア・オブジェクトを送信するシステムとの間においてチャット・インターフェイスを確立する確立工程をさらに含み、そのチャット・インターフェイスは、通信を容易にするために少なくとも一つのメディア・オブジェクトを利用する（５２）項に記載のメディア・オブジェクト送信方法。
（５９）  当該メディア・オブジェクト送信方法が、ユーザと、前記メディア・オブジェクトを送信するシステムとの間において電子メール・インターフェイスを確立する確立工程を含み、その電子メール・インターフェイスは、通信を容易にするために少なくとも一つのメディア・オブジェクトを利用する（５２）項に記載のメディア・オブジェクト送信方法。
（６０）  当該メディア・オブジェクト送信方法が、メディア・オブジェクトを受信するユーザとの間においてインスタント・メッセージ・インターフェイスを確立する確立工程をさらに含む（５２）項に記載のメディア・オブジェクト送信方法。
（６１）  前記ユーザ・プロファイル特定工程が、
ユーザ情報を取得する取得工程と、
そのユーザ情報を前記ユーザ・プロファイルに編集する編集工程と
をさらに含む（５２）項に記載のメディア・オブジェクト送信方法。
（６２）  前記ユーザ情報が、調査に対する回答結果と、人口統計的情報と、地域別情報と、ユーザの視聴習慣と、ユーザの購買行動と、統計的情報と、番組信号の継続中におけるユーザによるメディア・オブジェクトの選択結果とから成るグループから選択された少なくとも一つのソースから取得される（６１）項に記載のメディア・オブジェクト送信方法。
（６３）  前記ユーザ特定工程が、受信システムによって実行される（５２）項に記載のメディア・オブジェクト送信方法。
（６４）  当該メディア・オブジェクト送信方法が、
前記メディア・オブジェクトをデータ記憶装置に格納する格納工程と、
前記メディア・オブジェクトを前記ユーザに前記番組信号で送信するために指定された時間に、前記データ記憶装置から前記メディア・オブジェクトを読み出す読出し工程と
をさらに含む（５２）項に記載のメディア・オブジェクト送信方法。
（６５）  前記データ記憶装置が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択された少なくとも一つである（５２）項に記載のメディア・オブジェクト送信方法。
（６６）  ターゲットがユーザに設定されたコンテンツを有するメディア・オブジェクトであって、ユーザ・プロファイルに関連付けられたユーザに送信装置によって送信される番組信号内に含まれるものを作成するメディア・オブジェクト作成方法であって、
ターゲットがユーザ・プロファイルに設定されたコンテンツを有するメディア・オブジェクトを作成する作成工程と、
そのメディア・オブジェクトを、前記ユーザ・プロファイルに関連付けられたユーザに前記メディア・オブジェクトを番組信号で送信する送信装置に出力する出力工程と
を含み、前記送信装置は、前記メディア・オブジェクトによってターゲットが設定された前記ユーザ・プロファイルを特定し、そのユーザ・プロファイルに関連付けられた少なくとも一人のユーザを特定し、そのユーザに前記メディア・オブジェクトを番組信号で送信するものであるメディア・オブジェクト作成方法。
（６７）  前記ユーザ・プロファイルが、調査に対するユーザの回答結果と、人口統計的情報と、ユーザの視聴習慣と、番組信号の継続中におけるユーザによるメディア・オブジェクトの選択結果と、ユーザの購買行動と、統計的情報と、少なくとも二人のユーザからの視聴習慣の集計結果と、地域別情報とから成るグループから選択された情報に基づくものである（６６）項に記載のメディア・オブジェクト作成方法。
（６８）  当該メディア・オブジェクト作成方法が、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してアクセス可能なオンライン・サービス・プロバイダによって提供されるユーザ・プロファイリング・システムから前記ユーザ・プロファイルを取得する取得工程をさらに含む（６６）項に記載のメディア・オブジェクト作成方法。
（６９）  当該メディア・オブジェクト作成方法が、前記送信装置と、その送信装置によって送信された前記番組信号を受信する受信システムとから成るグループから選択されたシステムと通信するユーザ・プロファイリング・システムから前記ユーザ・プロファイルを取得する取得工程をさらに含む（６６）項に記載のメディア・オブジェクト作成方法。
（７０）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成された信号をさらに含む（６７）項に記載のメディア・オブジェクト作成方法。
（７１）  当該メディア・オブジェクト作成方法が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に前記メディア・オブジェクトを、そのメディア・オブジェクトの送信に先立って格納する格納工程をさらに含む（６７）項に記載のメディア・オブジェクト作成方法。
（７２）  当該メディア・オブジェクト作成方法が、
第１のユーザ・プロファイルに関連付けられた第１のメディア・オブジェクトと、第２のユーザ・プロファイルに関連付けられた第２のメディア・オブジェクトとを作成する作成工程と、
前記ユーザについての識別結果に基づき、前記第１のメディア・オブジェクトと前記第２のメディア・オブジェクトとの少なくとも一方を前記送信装置に出力する出力工程と
を含み、前記メディア・オブジェクトを作成するシステムが前記ユーザについての識別結果を受信しない場合には、前記第１のメディア・オブジェクトと前記第２のメディア・オブジェクトと双方が出力され、前記ユーザが、第１のユーザ・プロファイルに関連付けられて識別される場合には、前記第１のメディア・オブジェクトが出力され、前記ユーザが、前記第２のユーザ・プロファイルに関連付けられて識別される場合には、前記第２のメディア・オブジェクトが出力される（６７）項に記載のメディア・オブジェクト作成方法。
（７３）  ターゲットがユーザ・プロファイルに設定されたコンテンツを有するメディア・オブジェクトを送信するための命令を有するコンピュータ読取り可能媒体であって、
その送信が、
ターゲットがユーザ・プロファイルに設定されたコンテンツを有するメディア・オブジェクトをメディア・オブジェクト・クリエータから受信する工程と、
そのメディア・オブジェクトを受信するために少なくとも一つのユーザ・プロファイルを特定する工程と、
そのユーザ・プロファイルに関連付けられたユーザに前記メディア・オブジェクトを番組信号で送信する工程と
によって行われるコンピュータ読取り可能媒体。
（７４）  前記メディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで送信される（７３）項に記載のコンピュータ読取り可能媒体。
（７５）  前記番組信号が、無線通信システムと、ワイヤをベースとする通信システムと、スタンド・アローン型システムと、ネットワーク・システムとから成るグループから選択されたシステムを利用して送信される（７３）項に記載のコンピュータ読取り可能媒体。
（７６）  前記メディア・オブジェクトが、ニュース番組と、スポーツ番組と、娯楽番組と、音楽ビデオと、ゲームショー番組と、動画番組と、ビデオ番組と、生番組と、オーディオ番組と、非営利番組と、教育番組と、世論調査と、記録済み番組とから成るグループから選択された少なくとも一つの番組タイプに関連する（７３）項に記載のコンピュータ読取り可能媒体。  
（７７）  前記メディア・オブジェクトが、広告に関連するものである（７３）項に記載のコンピュータ読取り可能媒体。
（７８）  前記命令が、各々がユーザ・プロファイルに関連付けられている第１のメディア・オブジェクトと第２のメディア・オブジェクトとの受信および送信を、
第１のユーザ・プロファイルに関連付けられた第１のメディア・オブジェクトと第２のユーザ・プロファイルに関連付けられた第２のメディア・オブジェクトとを受信する工程と、
前記第１および第２のメディア・オブジェクトを前記番組信号で送信する工程と
によって可能にするものであり、
受信システムが、ユーザが前記第１および第２のユーザ・プロファイルのうちの一方に関連付けられることに基づき、それら第１および第２のメディア・オブジェクトのうちのいずれかを前記ユーザに提供するために選択する（７３）項に記載のコンピュータ読取り可能媒体。
（７９）  ターゲットがユーザ・プロファイルに設定されたコンテンツを有するメディア・オブジェクトを提供するメディア・オブジェクト提供システムであって、
ターゲットがユーザ・プロファイルに設定されたコンテンツを有する少なくとも一つのメディア・オブジェクトを有する番組信号を受信し、その番組信号から前記メディア・オブジェクトを抽出し、そのメディア・オブジェクトを出力する受信システムと、
その受信システムと通信する提供装置であって、前記受信システムから前記メディア・オブジェクトを受信し、そのメディア・オブジェクトを、前記ユーザ・プロファイルに関連付けられたユーザに提供するものと
を含み、そのユーザに前記メディア・オブジェクトが提供されると、前記ユーザ・プロファイルに基づき、ターゲットが前記ユーザに設定されたコンテンツがそのユーザに提供されるメディア・オブジェクト提供システム。
（８０）  前記提供装置が、テレビと、家庭用娯楽システムと、コンピュータ・ワークステーションと、パーソナル・データ・アシスタントと、バーチャル・リアリティ・システムと、ビデオ提供システムと、オーディオ提供システムと、音声再生システムと、電話システムと、ゲーム・コンソールと、ケーブル・ボックスと、セット・トップ・ボックスとから成るグループから選択された少なくとも一つの装置を利用する（７９）項に記載のメディア・オブジェクト提供システム。
（８１）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティの信号と、生の信号と、記録済み信号と、自然の信号と、合成された信号と、自然の信号と合成された信号とが複合された信号と、コンピュータによって作成された信号とから成るグループから選択されたフォームで構成されたコンテンツを含む（７９）項に記載のメディア・オブジェクト提供システム。
（８２）  前記番組信号が、放送と、無線と、有線と、マイクロ波と、ミリ波と、衛星と、ケーブルと、光ファイバとから成るグループから選択された通信媒体を介して受信される（７９）項に記載のメディア・オブジェクト提供システム。
（８３）  前記番組信号が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録された番組を送信可能なスタンド・アローン型装置から受信される（７９）項に記載のメディア・オブジェクト提供システム。
（８４）  前記メディア・オブジェクトが、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで受信される（７９）項に記載のメディア・オブジェクト提供システム。
（８５）  前記番組信号が、ストリーム化された信号として受信される（８０)項に記載のメディア・オブジェクト提供システム。
（８６）  前記番組信号が、ニュース番組と、スポーツ番組と、娯楽番組と、音楽ビデオと、ゲームショー番組と、動画番組と、ビデオ番組と、生番組と、オーディオ番組と、非営利番組と、世論調査と、記録済み番組とから成るグループから選択されたフォームで構成されたコンテンツを有するメディア・オブジェクトを含む（７９）項に記載のメディア・オブジェクト提供システム。
（８７）  前記番組信号が、広告に関連するコンテンツを有するメディア・オブジェクトを含む（７９）項に記載のメディア・オブジェクト提供システム。
（８８）  さらに、
前記受信システムと通信し、前記ユーザに関連付けられた少なくとも一つのユーザ・プロファイルを提供するユーザ・プロファイリング・システムを含み、
前記受信システムは、メディア・オブジェクトを受信すると、前記ユーザに関連付けられたユーザ・プロファイルを前記ユーザ・プロファイリング・システムから取得し、前記メディア・オブジェクトによってターゲットが設定されたユーザ・プロファイルと、前記ユーザに関連付けられたユーザ・プロファイルとが互いに一致するか否かを判定し、その判定結果に基づき、互いに一致する場合には、前記ユーザに前記メディア・オブジェクトを提供するように前記提供装置を指令し、互いに一致しない場合には、前記メディア・オブジェクトを提供しないように前記提供装置を指令する（７９）項に記載のメディア・オブジェクト提供システム。
（８９）  前記ユーザ・プロファイリング・システムが、少なくとも二つのプロファイルを作成し、前記第１のユーザ・プロファイルは、成人視聴者に関連付けられ、前記第２のユーザ・プロファイルは、未成年の視聴者に関連付けられる（８８）項に記載のメディア・オブジェクト提供システム。
（９０）  前記ユーザ・プロファイリング・システムが、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された少なくとも一つのソースに基づいてユーザ・プロファイルを作成する（８８）項に記載のメディア・オブジェクト提供システム。
（９１）  当該メディア・オブジェクト提供システムが、前記受信システムと通信するユーザ入力装置であって、前記番組信号で受信した少なくとも一つのメディア・オブジェクトを選択するものをさらに含む（７９）項に記載のメディア・オブジェクト提供システム。
（９２）  前記ユーザ入力装置が、リモコンと、キーボードと、スキャナと、マウス  トラックボールと、バーチャル・リアリティ・センサと、音声認識システムと、音声認証システムと、押しボタンと、タッチスクリーンと、ジョイスティックとから成るグループから選択された少なくとも一つの装置をさらに含む（９１）項に記載のメディア・オブジェクト提供システム。
（９３）  当該メディア・オブジェクト提供システムが、前記受信システムと通信し、少なくとも一つのメディア・オブジェクトを格納するデータ記憶装置をさらに含み、そのデータ記憶装置は、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してアクセスされる（７９）項に記載のメディア・オブジェクト提供システム。
（９４）  前記データ記憶装置が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択された少なくとも一つのデータ記憶媒体を利用する（９３）項に記載のメディア・オブジェクト提供システム。
（９５）  前記受信システムが、
送信装置から前記番組信号を受信するトランシーバと、
そのトランシーバに接続され、ターゲットがユーザ・プロファイルに設定されたコンテンツを有する少なくとも一つのメディア・オブジェクトを前記番組信号から選択する少なくとも一つのデマルチプレクサと、
そのデマルチプレクサに接続され、そのデマルチプレクサによって選択された前記メディア・オブジェクトを格納するバッファと、
それらデマルチプレクサとバッファとに接続された伸長器であって、前記メディア・オブジェクトを伸張し、伸張されたメディア・オブジェクトを出力するものと、
その伸長器に接続されたコンポジション・ジェネレータであって、少なくとも一つの伸張されたメディア・オブジェクトを受信し、その受信されたメディア・オブジェクトを複合信号に合成するものと、
それらトランシーバとバッファと伸長器とコンポジション・ジェネレータとに接続され、前記受信システムの作動を制御するコントローラであって、前記トランシーバと前記デマルチプレクサと前記バッファと前記伸長器と前記コンポジション・ジェネレータとのそれぞれにタイミング・同期化信号を供給し、前記番組信号内に提供される少なくとも二つのメディア・オブジェクト間の空間的および時間的な関係を同期化するタイミング・同期化ユニットをさらに有するものと
をさらに含む（７９）項に記載のメディア・オブジェクト提供システム。
（９６）  ターゲットがユーザ・プロファイルに設定されたコンテンツを有するメディア・オブジェクトを提供するシステムであって、
受信システムであって、
送信システムから、ターゲットが第１のユーザ・プロファイルに設定されたコンテンツを有する少なくとも一つのメディア・オブジェクトを含む番組信号を受信するトランシーバと、
そのトランシーバに接続され、少なくとも一つのメディア・オブジェクトを前記番組信号から選択する少なくとも一つのデマルチプレクサと、
そのデマルチプレクサに接続され、そのデマルチプレクサによって選択された前記メディア・オブジェクトを格納するバッファと、
それらデマルチプレクサとバッファとに接続され、前記メディア・オブジェクトを伸張する伸長器と、
その伸長器に接続され、前記伸張されたメディア・オブジェクトを複合信号に合成するコンポジション・ジェネレータと、
それらトランシーバとバッファと伸長器とコンポジション・ジェネレータとに接続され、前記受信システムの作動を制御するコントローラと
をさらに含むものと、
その受信システムと通信する提供装置であって、前記複合信号を受信し、その複合信号を前記ユーザに提供するものと、
前記受信システムと通信し、前記ユーザに関連付けられた第２のユーザ・プロファイルを提供するユーザ・プロファイリング・システムと、
前記受信システムと通信し、番組信号を選択するユーザ入力装置と、
前記受信システムと通信し、少なくとも一つのメディア・オブジェクトを格納するデータ記憶装置と
をさらに含み、前記受信システムは、少なくとも一つのメディア・オブジェクトを有する番組信号をユーザが選択すると、前記第２のユーザ・プロファイルが前記第１のユーザ・プロファイルと一致するか否かを判定するために前記ユーザ・プロファイリング・システムに問い合わせ、一致する場合には、前記受信システムは、前記番組信号から前記メディア・オブジェクトを読み出し、そのメディア・オブジェクトを伸張し、そのメディア・オブジェクトを複合信号に合成し、その複合信号を前記提供装置に出力するメディア・オブジェクト提供システム。
（９７）  当該メディア・オブジェクト提供システムが、テレビと、ホーム・シアタ・システムと、コンピュータ・ワークステーションと、ビデオ提供装置と、パーソナル・データ・アシスタントと、バーチャル・リアリティ・システムと、音声再生システムと、電話システムと、ゲーム・コンソールと、触覚的信号発生装置と、ケーブル・ボックスと、セット・トップ・ボックスとから成るグループから選択された装置内に提供される（９６)項に記載のメディア・オブジェクト提供システム。
（９８）  前記番組信号が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットを利用する（９６)項に記載のメディア・オブジェクト提供システム。
（９９）  前記番組信号が、ニュース番組と、スポーツ番組と、娯楽番組と、音楽ビデオと、ゲームショー番組と、動画番組と、ビデオ番組と、生番組と、オーディオ番組と、非営利番組と、教育番組と、記録済み番組とから成るグループから選択されたフォームで構成される、メディア・オブジェクトをベースとするコンテンツを含む（９６)項に記載のメディア・オブジェクト提供システム。
（１００）  前記番組信号が、メディア・オブジェクトをベースとするコンテンツであって広告に関連するものを含む（９６)項に記載のメディア・オブジェクト提供システム。
（１０１）  前記ユーザ・プロファイリング・システムが、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された少なくとも一つのソースに基づいてメディア・オブジェクトを作成する（９６)項に記載のメディア・オブジェクト提供システム。
（１０２）  前記受信システムが、その受信システムに接続されたチャット・インターフェイスをさらに含み、少なくとも一つのメディア・オブジェクトが、前記チャット・インターフェイスを介した通信を容易にするために利用される（９６)項に記載のメディア・オブジェクト提供システム。
（１０３）  前記受信システムが、その受信システムに接続された電子メール・インターフェイスをさらに含み、その電子メール・インターフェイスが、通信を容易にするために少なくとも一つのメディア・オブジェクトを利用する（９６)項に記載のメディア・オブジェクト提供システム。
（１０４）  ターゲットがユーザ・プロファイルに設定されたコンテンツを含むメディア・オブジェクトを提供するメディア・オブジェクト提供システムであって、
ターゲットがユーザ・プロファイルに設定されたメディア・オブジェクトを含む番組信号を受信する受信手段と、
前記メディア・オブジェクトによってターゲットが設定された前記ユーザ・プロファイルに関連付けられたユーザを特定する特定手段と、
前記番組信号から前記メディア・オブジェクトを抽出する抽出手段と、
その抽出されたメディア・オブジェクトを、前記ユーザ・プロファイルに関連付けられたユーザに提供する提供手段と
を含み、当該メディア・オブジェクト提供システムは、ターゲットがユーザ・プロファイルに設定されたコンテンツを有する少なくとも一つのメディア・オブジェクトを有する番組信号を受信すると、ユーザを前記ユーザ・プロファイルに関連付け、ターゲットが前記ユーザ・プロファイルに設定された前記メディア・オブジェクトを前記番組信号から抽出し、そのメディア・オブジェクトを、前記ユーザ・プロファイルに関連付けられた前記ユーザに提供するメディア・オブジェクト提供システム。
（１０５）  当該メディア・オブジェクト提供システムが、テレビと、ホーム・シアタ・システムと、コンピュータ・ワークステーションと、ビデオ提供装置と、パーソナル・データ・アシスタントと、バーチャル・リアリティ・システムと、ゲーム・コンソールと、オーディオ提供装置と、電話システムと、セット・トップ・ボックスとから成るグループから選択された装置内に提供される（１０４）項に記載のメディア・オブジェクト提供システム。
（１０６）  前記メディア・オブジェクトが、ニュース番組と、スポーツ番組と、娯楽番組と、音楽ビデオと、ゲームショー番組と、動画番組と、ビデオ番組と、生番組と、オーディオ番組と、非営利番組と、教育番組と、記録済み番組とから成るグループから選択されたフォームで構成されたコンテンツを含む（１０４）項に記載のメディア・オブジェクト提供システム。
（１０７）  前記メディア・オブジェクトが、広告に関連するコンテンツを含む（１０４）項に記載のメディア・オブジェクト提供システム。
（１０８）  前記番組信号が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットで構成された（１０４）項に記載のメディア・オブジェクト提供システム。
（１０９）  当該メディア・オブジェクト提供システムが、チャットにつなぐチャット手段をさらに含み、少なくとも一つのメディア・オブジェクトが、前記チャット手段を介した通信を容易にするために利用される（１０４）項に記載のメディア・オブジェクト提供システム。
（１１０）  当該メディア・オブジェクト提供システムが、電子メール手段をさらに含み、少なくとも一つのメディア・オブジェクトが、前記電子メール手段を介した通信を容易にするために利用される（１０４）項に記載のメディア・オブジェクト提供システム。
（１１１）  当該メディア・オブジェクト提供システムが、インスタント・メッセージ手段をさらに含み、少なくとも一つのメディア・オブジェクトが、前記インスタント・メッセージ手段を介した通信を容易にするために利用される（１０４）項に記載のメディア・オブジェクト提供システム。
（１１２）  前記番組信号が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録された番組を送信可能なスタンド・アローン型装置から受信される（１０４)項に記載のメディア・オブジェクト提供システム。
（１１３）  ターゲットがユーザ・プロファイルに設定されたコンテンツを有するメディア・オブジェクトを提供するメディア・オブジェクト提供方法であって、
ターゲットがユーザ・プロファイルに設定されたコンテンツを有する少なくとも一つのメディア・オブジェクトを有する番組信号を受信する受信工程と、
前記ユーザ・プロファイルに関連付けられたユーザを特定する特定工程と、
前記ユーザ・プロファイルに基づき、前記番組信号内のメディア・オブジェクトを選択する選択工程と、
その選択されたメディア・オブジェクトを複合信号に合成する合成工程と、
その複合信号を、前記ユーザ・プロファイルに関連付けられたユーザに提供する提供工程と
を含むメディア・オブジェクト提供方法。
（１１４）  前記番組信号が、放送と、無線と、有線と、マイクロ波と、ミリ波と、衛星と、ケーブルと、光ファイバとから成るグループから選択された通信媒体を介して受信される（１１３）項に記載のメディア・オブジェクト提供方法。
（１１５）  前記番組信号が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録された番組を送信可能なスタンド・アローン型装置から受信される（１１３）項に記載のメディア・オブジェクト提供方法。
（１１６）  当該メディア・オブジェクト提供方法が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、ゲーム・コンソールと、電話システムと、セット・トップ・ボックスとから成るグループから選択された装置内において、少なくとも部分的に実施される（１１３）項に記載のメディア・オブジェクト提供方法。
（１１７）  前記複合信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティの信号と、生信号と、記録済み信号と、自然の信号と、合成された信号と、自然の信号と合成された信号とが複合された信号と、コンピュータによって作成された信号とから成るグループから選択された少なくとも一つの信号をさらに含む（１１３）項に記載のメディア・オブジェクト提供方法。
（１１８）  前記番組信号が、ニュース番組と、スポーツ番組と、娯楽番組と、音楽ビデオと、ゲームショー番組と、動画番組と、ビデオ番組と、生番組と、オーディオ番組と、非営利番組と、教育番組と、記録済み番組とから成るグループから選択されたフォームで構成されるメディア・オブジェクトを含む（１１３）項に記載のメディア・オブジェクト提供方法。
（１１９）  前記番組信号が、広告に関連するメディア・オブジェクト・コンテンツを含む（１１３）項に記載のメディア・オブジェクト提供方法。
（１２０）  当該メディア・オブジェクト提供方法が、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された少なくとも一つのソースに基づいて前記ユーザ・プロファイルを作成する作成工程をさらに含む（１１３）項に記載のメディア・オブジェクト提供方法。
（１２１）  ターゲットがユーザ・プロファイルに設定されたコンテンツを有するメディア・オブジェクトを提供するメディア・オブジェクト提供方法であって、
ターゲットがユーザ・プロファイルに設定されたコンテンツを有する少なくとも一つのメディア・オブジェクトを含む番組信号を受信する受信工程と、
前記ユーザ・プロファイルに関連付けられたユーザを特定する特定工程と、
前記ユーザ・プロファイルに基づき、前記番組信号から少なくとも一つのメディア・オブジェクトを選択する選択工程と、
そのメディア・オブジェクトを前記ユーザに提供するメディア・オブジェクト提供工程と
を含むメディア・オブジェクト提供方法。
（１２２）  当該メディア・オブジェクト提供方法が、前記番組信号から選択された前記メディア・オブジェクトをバッファ内に、前記メディア・オブジェクトを前記ユーザに提供するために指定された時間まで格納する格納工程をさらに含む（１２１）項に記載のメディア・オブジェクト提供方法。
（１２３）  前記メディア・オブジェクトが、圧縮されたフォーマットで提供され、当該メディア・オブジェクト提供方法が、前記メディア・オブジェクトをユーザに提供する前に前記メディア・オブジェクトを伸張する伸張工程をさらに含む（１２１）項に記載のメディア・オブジェクト提供方法。
（１２４）  前記メディア・オブジェクト提供工程が、
前記番組信号から選択された前記メディア・オブジェクトと第２のメディア・オブジェクトとを複合信号に合成する合成工程と、
その複合信号を、前記ユーザ・プロファイルに関連付けられたユーザに提供する複合信号提供工程と
をさらに含む（１２１）項に記載のメディア・オブジェクト提供方法。
（１２５）  当該メディア・オブジェクト提供方法が、ユーザ入力装置から入力信号を受信する入力信号受信工程をさらに含み、その入力信号は、チャンネルの選択と、メディア・オブジェクトの選択と、ユーザの識別とから成るグループから選択された少なくとも一つのオプションに関連し、前記ユーザのために視覚的な選択を提供する（１２１）項に記載のメディア・オブジェクト提供方法。
（１２６）  前記ユーザ入力装置が、リモコンと、キーボードと、スキャナと、マウスと、トラックボールと、バーチャル・リアリティ・センサと、音声認識システムと、音声認証システムと、押しボタンと、タッチスクリーンと、ジョイステックとから成るグループから選択された少なくとも一つの装置を含む（１２２)項に記載のメディア・オブジェクト提供方法。
（１２７）  当該メディア・オブジェクト提供方法が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、電話システムと、ゲーム・コンソールと、セット・トップ・ボックスとから成るグループから選択された少なくとも一つの装置によって実施される（１２１）項に記載のメディア・オブジェクト提供方法。
（１２８）  前記番組信号が、放送と、無線と、有線と、マイクロ波と、ミリ波と、衛星と、ケーブルと、光ファイバとから成るグループから選択された通信媒体を介して受信される（１２１）項に記載のメディア・オブジェクト提供方法。
（１２９）  前記番組信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティの信号と、生信号と、記録済み信号と、自然の信号と、合成された信号と、自然の信号と合成された信号とが複合された信号と、コンピュータによって作成された信号とから成るグループから選択された少なくとも一つの信号をさらに含む（１２１）項に記載のメディア・オブジェクト提供方法。
（１３０）  前記番組信号が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録される番組を送信可能なスタンド・アローン型装置から受信される（１２１）項に記載のメディア・オブジェクト提供方法。
（１３１）  前記番組信号が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットを利用する（１２１）項に記載のメディア・オブジェクト提供方法。
（１３２）  前記番組信号が、ネットワーク通信によってストリーミングされる（１２１）項に記載のメディア・オブジェクト提供方法。
（１３３）  前記番組信号が、ニュース番組と、スポーツ番組と、娯楽番組と、音楽ビデオと、ゲームショー番組と、動画番組と、ビデオ番組と、生番組と、オーディオ番組と、非営利番組と、教育番組と、記録済み番組とから成るグループから選択された少なくとも一つの番組タイプに関連するメディア・オブジェクト・コンテンツを含む（１２１）項に記載のメディア・オブジェクト提供方法。
（１３４）  前記番組信号が、広告コンテンツに関連するメディア・オブジェクトを含む（１２１）項に記載のメディア・オブジェクト提供方法。
（１３５）  当該メディア・オブジェクト提供方法が、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された情報に基づいてユーザ・プロファイルを作成するユーザ・プロファイル作成工程をさらに含む（１２１）項に記載のメディア・オブジェクト提供方法。
（１３６）  前記ユーザ・プロファイル作成工程が、受信システムと、送信システムと、メディア・オブジェクト・クリエータとから成るグループから選択された少なくとも一つのシステムによって実行される（１２１）項に記載のメディア・オブジェクト提供方法。
（１３７）  前記ユーザ・プロファイルが、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してリモート・データ記憶媒体から取得される（１２１）項に記載のメディア・オブジェクト提供方法。
（１３８）  当該メディア・オブジェクト提供方法が、
追加的なメディア・オブジェクトをユーザに送り出すプッシュ工程をさらに含み、前記追加的なメディア・オブジェクトは、前記番組信号から抽出された少なくとも一つのメディア・オブジェクトに関連する（１２１）項に記載のメディア・オブジェクト提供方法。
（１３９）  ターゲットがユーザ・プロファイルに設定されたコンテンツを有するメディア・オブジェクトを提供するための命令を有するコンピュータ読取り可能媒体であって、
その提供が、
ターゲットがユーザ・プロファイルに設定されたコンテンツを有する少なくとも一つのメディア・オブジェクトを含む番組信号を受信する工程と、
前記ユーザ・プロファイルに関連付けられたユーザを特定する工程と、
前記ユーザ・プロファイルに基づき、前記番組信号から少なくとも一つのメディア・オブジェクトを抽出する工程と、
そのメディア・オブジェクトを前記ユーザに提供する工程と
によって実行されるコンピュータ読取り可能媒体。
（１４０）  前記番組信号が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録された番組を送信可能なスタンド・アローン型装置から受信される（１３９）項に記載のコンピュータ読取り可能媒体。
（１４１）  当該コンピュータ読取り可能媒体が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、ゲーム・コンソールと、電話システムと、セット・トップ・ボックスとから成るグループから選択された装置と共同して利用される（１３９）項に記載のコンピュータ読取り可能媒体。
（１４２）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティの信号と、生信号と、記録済み信号と、自然の信号と、合成された信号と、自然の信号と合成された信号とが複合された信号と、コンピュータによって作成された信号とから成るグループから選択されたフォームで構成された少なくとも一つの信号をさらに含む（１３９）項に記載のコンピュータ読取り可能媒体。
（１４３）  前記メディア・オブジェクトが、ニュース番組と、スポーツ番組と、娯楽番組と、音楽ビデオと、ゲームショー番組と、動画番組と、ビデオ番組と、生番組と、オーディオ番組と、非営利番組と、教育番組と、記録済み番組とから成るグループから選択されたフォームで構成されたコンテンツを含む（１３９）項に記載のコンピュータ読取り可能媒体。
（１４４）  前記メディア・オブジェクトが、広告に関連するコンテンツを含む（１３９）項に記載のコンピュータ読取り可能媒体。
（１４５）  前記命令が、前記抽出されたメディア・オブジェクトをバッファ内に、前記ユーザに提供するために指定された時間まで格納することをさらに可能にする（１３９）項に記載のコンピュータ読取り可能媒体。
（１４６）  前記番組信号が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットを利用する（１３９）項に記載のコンピュータ読取り可能媒体。
（１４７）  前記番組信号が、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを通じてストリーミングされる（１３９）項に記載のコンピュータ読取り可能媒体。
（１４８）  前記命令が、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された情報に基づいてユーザ・プロファイルを作成することをさらに可能にする（１３９）項に記載のコンピュータ読取り可能媒体。
（１４９）  ターゲットがユーザ・プロファイルに設定されたコンテンツを提供するメディア・オブジェクトであって番組信号内に含まれるもののユーザによる選択に基づいてユーザ・プロファイルを作成するユーザ・プロファイル作成システムであって、
ターゲットがユーザ・プロファイルに設定されたコンテンツをそれぞれ提供する少なくとも二つのメディア・オブジェクトを番組信号で受信する受信システムと、
その受信システムに接続され、前記少なくとも二つのメディア・オブジェクトを前記ユーザに提供する提供システムと、
その提供された少なくとも二つのメディア・オブジェクトのうちの一つを選択するユーザ入力装置と、
ユーザによる各選択結果を記録するデータ記憶装置と、
前記ユーザに提供されたメディア・オブジェクトについてのユーザによる選択結果の集まりに基づいてユーザ・プロファイルを作成するユーザ・プロファイリング・システムと
を含み、そのユーザ・プロファイルは、メディア・オブジェクトのうち、前記番組信号内に含ませて前記ユーザに提供すべきものを決定するために、後続する番組信号内において利用されるユーザ・プロファイル作成システム。
（１５０）  前記ユーザ・プロファイリング・システムが、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された少なくとも一つのソースに基づいてユーザ・プロファイルを作成する（１４９）項に記載のユーザ・プロファイル作成システム。
（１５１）  前記ユーザ・プロファイリング・システムが、前記番組信号を送信するシステムと同じ場所に配置される（１４９)項に記載のユーザ・プロファイル作成システム。
（１５２）  前記ユーザ・プロファイリング・システムが、前記番組信号内に提供される前記メディア・オブジェクトを作成するシステムと同じ場所に配置される（１４９)項に記載のユーザ・プロファイル作成システム。
（１５３）  前記ユーザ・プロファイリング・システムが、前記受信システムと同じ場所に配置される（１４９）項に記載のユーザ・プロファイル作成システム。
（１５４）  前記ユーザ・プロファイリング・システムが、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してアクセスされる（１４９）項に記載のユーザ・プロファイル作成システム。
（１５５）  当該ユーザ・プロファイル作成システムが、前記番組信号で受信される少なくとも一つのメディア・オブジェクトを選択するユーザ入力装置をさらに含み、その選択は、前記ユーザ・プロファイルを作成するために利用される（１４９）項に記載のユーザ・プロファイル作成システム。
（１５６）  前記ユーザ入力装置が、リモコンと、キーボードと、スキャナと、マウスと、トラックボールと、バーチャル・リアリティ・センサと、音声認識システムと、音声認証システムと、押しボタンと、タッチスクリーンと、ジョイスティックとから成るグループから選択された少なくとも一つの装置をさらに含む（１５５）項に記載のユーザ・プロファイル作成システム。
（１５７）  ターゲットがユーザ・プロファイルに設定されたコンテンツを有するメディア・オブジェクトであって番組信号内に提供されるとともにユーザによって選択されるものに基づいてユーザ・プロファイルを作成するユーザ・プロファイル作成方法であって、
ターゲットがユーザ・プロファイルに設定されたコンテンツをそれぞれ有する少なくとも二つのメディア・オブジェクトを有する番組信号を受信する番組信号受信工程と、
その番組信号を前記ユーザに提供する提供工程と、
前記ユーザからの応答であって、前記番組信号内に提供された少なくとも二つのメディア・オブジェクトのうちの少なくとも一つをユーザが選択した結果を示すものを受信する応答受信工程と、
前記ユーザからの応答に基づいてユーザ・プロファイルを作成する作成工程と
を含むユーザ・プロファイル作成方法。
（１５８）  当該ユーザ・プロファイル作成方法が、
前記ユーザからの各応答をデータ記憶装置内に保存する保存工程と、
前記データ記憶装置内に保存された応答の集まりに基づいて前記ユーザ・プロファイルを作成するユーザ・プロファイル作成工程と
をさらに含む（１５７）項に記載のユーザ・プロファイル作成方法。
（１５９）  前記ユーザ・プロファイルが、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された少なくとも一つのソースから取得されたデータに基づいて作成される（１５８）項に記載のユーザ・プロファイル作成方法。
（１６０）  前記データ記憶装置が、前記番組信号を送信するシステムと、前記メディア・オブジェクトを作成するシステムと、前記番組信号を受信するシステムとから成るグループから選択された少なくとも一つのシステムと同じ場所に配置される（１５８）項に記載のユーザ・プロファイル作成方法。
（１６１）  前記データ記憶装置が、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してアクセス可能なウェブサイトをさらに含む（１５８）項に記載のユーザ・プロファイル作成方法。
（１６２）  ターゲットがユーザ・プロファイルに設定されたコンテンツを有するメディア・オブジェクトを送り出すメディア・オブジェクト・プッシュ方法であって、
ユーザについてユーザ・プロファイルを取得するユーザ・プロファイル取得工程と、
そのユーザが受信することを希望する特定の番組信号を指定する番組信号選択結果を前記ユーザから受信する番組信号選択結果受信工程と、
前記選択された番組信号内の少なくとも一つのメディア・オブジェクトであって前記ユーザ・プロファイルに基づいて前記ユーザに送り出されるものを前記ユーザに送信する送信工程と、
メディア・オブジェクトを前記番組信号から抽出する抽出工程と、
その抽出されたメディア・オブジェクトを前記ユーザに提供する提供工程と
を含み、ターゲットが前記ユーザに設定されたコンテンツが、前記抽出されたメディア・オブジェクトを介して前記ユーザに送り出されるメディア・オブジェクト・プッシュ方法。
（１６３）  前記ユーザ・プロファイル取得工程が、送信システムと、受信システムと、メディア・オブジェクト作成システムと、ユーザ・プロファイリング・システムとから成るグループから選択された少なくとも一つのシステム内に提供されるユーザ・プロファイリング・システムによって実行される（１６２）項に記載のメディア・オブジェクト・プッシュ方法。
（１６４）  前記ユーザ・プロファイリング・システムが、インターネットと、イントラネットと、プライベート・ネットワークと、有線ネットワークと、ＡＴＭネットワークと、無線ネットワークと、ワイド・エリア・ネットワークと、ローカル・エリア・ネットワークと、公衆ネットワークとから成るグループから選択されたネットワークを介してアクセス可能なウェブサイトをさらに含む（１６３）項に記載のメディア・オブジェクト・プッシュ方法。
（１６５）  前記ユーザ・プロファイル取得工程が、調査に対するユーザの回答結果と、人口統計的情報と、ユーザの視聴習慣と、番組信号の継続中におけるユーザによるメディア・オブジェクトの選択結果と、一人より多いユーザからの視聴習慣の集計結果と、ユーザの購買行動と、統計的情報と、地域別情報とから成るグループから選択された情報に基づいてユーザ・プロファイルを作成する作成工程をさらに含む（１６２）項に記載のメディア・オブジェクト・プッシュ方法。
（１６６）  前記番組信号選択結果受信工程が、リモコンと、キーボードと、スキャナと、マウスと、トラックボールと、バーチャル・リアリティ・センサと、音声認識システムと、音声認証システムと、押しボタンと、タッチスクリーンと、ジョイスティックとから成るグループから選択された少なくとも一つのユーザ入力装置によって実行される（１６２）項に記載のメディア・オブジェクト・プッシュ方法。
（１６７）  当該メディア・オブジェクト・プッシュ方法が、前記番組信号選択結果を受信すると、前記番組信号内に少なくとも一つのメディア・オブジェクトを挿入する挿入工程をさらに含み、前記メディア・オブジェクトが、前記ユーザによって選択された番組信号の継続中における特定のいくつかの場面中に、前記ユーザをターゲットとしてそのユーザに提供される（１６６）項に記載のメディア・オブジェクト・プッシュ方法。
（１６８）  前記番組信号選択が、受信システムに通信されるものであり、当該メディア・オブジェクト・プッシュ方法が、
メディア・オブジェクトのうち、与えられたユーザ・プロファイルにつき、与えられた番組信号内において選択すべきものを指定する少なくとも一つのプロファイリング規則にアクセスするアクセス工程と、
前記番組信号内におけるメディア・オブジェクトのうち選択して前記ユーザに提供すべきものを決定する場合に、前記選択された番組信号と、前記ユーザ・プロファイル、前記プロファイリング規則とを互いに関連付ける関連付け工程と
をさらに含む（１６２）項に記載のメディア・オブジェクト・プッシュ方法。
（１６９）  前記プロファイリング規則が、ケーブルと、同軸ケーブルと、ツイスト・ペア・ケーブルと、光ファイバ・ケーブルと、電話ケーブルと、クローズド・サーキット・ケーブルと、衛星放送と、無線周波数放送と、無線媒体とから成るグループから選択された少なくとも一つの通信媒体を介して送信システムから取得される（１６８）項に記載のメディア・オブジェクト・プッシュ方法。
（１７０）  前記メディア・オブジェクトが、ニュース番組と、スポーツ番組と、バーチャル・リアリティ番組と、娯楽番組と、音楽ビデオと、ゲームショー番組と、動画番組と、ビデオ番組と、生番組と、オーディオ番組と、世論調査と、非営利番組と、教育番組と、記録済み番組とから成るグループから選択されたフォームで構成されるコンテンツを含む（１６２)項に記載のメディア・オブジェクト・プッシュ方法。
（１７１）  前記メディア・オブジェクトが、広告に関連するコンテンツを含む（１６２）項に記載のメディア・オブジェクト・プッシュ方法。 
（１７２）  前記番組信号が、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティのコンテンツと、生のコンテンツと、記録済みコンテンツと、自然のコンテンツと、合成されたコンテンツと、自然のコンテンツと合成されたコンテンツとが複合されたコンテンツと、コンピュータによって作成されたコンテンツとから成るグループから選択されたフォームで構成されるコンテンツを提供する少なくとも一つのメディア・オブジェクトを有する信号をさらに含む（１６２）項に記載のメディア・オブジェクト・プッシュ方法。
（１７３）  前記ユーザ・プロファイル取得工程が、前記ユーザ・プロファイルの指定結果を前記ユーザから受信する指定結果受信工程をさらに含む（１６２）項に記載のメディア・オブジェクト・プッシュ方法。
（１７４）  前記ユーザ・プロファイルの指定結果が、複数のメディア・オブジェクトのうち前記番組信号から抽出すべきものを決定するために受信システムによって利用される（１７３）項に記載のメディア・オブジェクト・プッシュ方法。
（１７５）  前記受信システムが、前記ユーザによって指定されたプロファイルに関連付けられないメディア・オブジェクトを前記番組信号からフィルタで除去する（１７４）項に記載のメディア・オブジェクト・プッシュ方法。
（１７６）  当該メディア・オブジェクト・プッシュ方法が、第１のメディア・オブジェクトを同期化する同期化工程をさらに含む（１６２）項に記載のメディア・オブジェクト・プッシュ方法。
（１７７）  前記第１のメディア・オブジェクトが、ビデオ信号を含み、第２のメディア・オブジェクトが、オーディオ信号を含む（１７６）項に記載のメディア・オブジェクト・プッシュ方法。
（１７８）  ターゲットがユーザに設定されたコンテンツを有するメディア・オブジェクトを引き出すメディア・オブジェクト・プル方法であって、
ターゲットがユーザ・プロファイルに設定されたコンテンツを有する少なくとも一つのメディア・オブジェクトを有する番組信号をユーザに提供する番組信号提供工程と、
その番組信号内に提供されるメディア・オブジェクトを選択するメディア・オブジェクト選択工程と、
そのメディア・オブジェクトの選択結果を反映するように前記番組信号を修正する番組信号修正工程と、
その修正された番組信号であって、ターゲットが前記ユーザ・プロファイルに設定されたコンテンツを有する少なくとも一つのメディア・オブジェクトを有するものを提供する修正番組信号提供工程と
を含むメディア・オブジェクト・プル方法。
（１７９）  当該メディア・オブジェクト・プル方法が、前記ユーザによるメディア・オブジェクトの選択結果を記録する記録工程をさらに含む（１７８）項に記載のメディア・オブジェクト・プル方法。
（１８０）  当該メディア・オブジェクト・プル方法が、前記記録されたメディア・オブジェクトの選択結果に基づいてユーザ・プロファイルを作成するユーザ・プロファイル作成工程をさらに含む（１７９）項に記載のメディア・オブジェクト・プル方法。
（１８１）  送信システムが、ターゲットが前記ユーザに設定された少なくとも一つのメディア・オブジェクトを送信する場合に前記ユーザ・プロファイルを利用する（１８０）項に記載のメディア・オブジェクト・プル方法。
（１８２）  メディア・オブジェクト・クリエータが、ターゲットが前記ユーザに設定された少なくとも一つのメディア・オブジェクトを作成する場合に前記ユーザ・プロファイルを利用する（１８０）項に記載のメディア・オブジェクト・プル方法。
（１８３）  前記番組信号が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、ゲーム・コンソールと、電話システムと、セット・トップ・ボックスとから成るグループから選択された少なくとも一つの装置を介して前記ユーザに提供される（１７８）項に記載のメディア・オブジェクト・プル方法。
（１８４）  当該メディア・オブジェクト・プル方法が、放送と、無線と、有線と、マイクロ波と、ミリ波と、衛星と、ケーブルと、光ファイバとから成るグループから選択された通信媒体を介して前記番組信号を受信する受信工程をさらに含む（１７８）項に記載のメディア・オブジェクト・プル方法。
（１８５）  当該メディア・オブジェクト・プル方法が、コンパクト・ディスクと、デジタル多用途ディスクと、ビデオテープと、ゲーム・カートリッジと、メモリ・スティックと、磁気記憶媒体と、光学記憶媒体と、ランダム・アクセス・メモリと、フラッシュ・メモリと、リード・オンリ・メモリとから成るグループから選択されたデータ記憶媒体に記録された番組を送信可能なスタンド・アローン型装置から前記番組信号を受信する受信工程をさらに含む（１７８)項に記載のメディア・オブジェクト・プル方法。
（１８６）  前記番組信号が、ＭＰＥＧ−１と、ＭＰＥＧ−２と、ＭＰＥＧ−４と、ＭＰＥＧ−７と、ＪＰＥＧと、モーションＪＰＥＧと、ＧＩＦと、クイックタイムと、アクティブムービーと、ＤＶＩと、インディオとから成るグループから選択されたフォーマットを利用する（１７８）項に記載のメディア・オブジェクト・プル方法。
（１８７）  前記メディア・オブジェクトが、ビデオ信号と、オーディオ信号と、オーディオ信号とビデオ信号とが複合された信号と、アニメーションと、テクストと、グラフィックと、マルチメディアと、スロー・フレーム・ビデオと、ビデオ静止画と、フレーム列と、バーチャル・リアリティの信号と、生の信号と、記録済み信号と、自然の信号と、合成された信号と、自然の信号と合成された信号とが複合された信号と、コンピュータによって作成された信号とから成るグループから選択されたフォームで構成される少なくとも一つの信号をさらに含む（１７８）項に記載のメディア・オブジェクト・プル方法。
（１８８）  前記メディア・オブジェクトが、ニュース番組と、スポーツ番組と、娯楽番組と、音楽ビデオと、ゲームショー番組と、動画番組と、ビデオ番組と、生番組と、オーディオ番組と、非営利番組と、教育番組と、広告と、記録済み番組とから成るグループから選択されたフォームで構成されるコンテンツを含む（１７８）項に記載のメディア・オブジェクト・プル方法。
（１８９）  前記メディア・オブジェクト選択工程が、リモコンと、キーボードと、スキャナと、マウスと、トラックボールと、バーチャル・リアリティ・センサと、音声認識システムと、音声認証システムと、押しボタンと、タッチスクリーンと、ジョイスティックとから成るグループから選択されたユーザ入力装置を利用して実行される（１７８)項に記載のメディア・オブジェクト・プル方法。
（１９０）  前記ユーザ・プロファイル作成工程が、ユーザによる選択結果についての先行する記録と、調査に対するユーザの回答結果と、人口統計的情報と、ユーザの視聴習慣と、一人より多いユーザからの視聴習慣の集計結果と、ユーザの購買行動と、統計的情報と、地域別情報とから成るグループから選択されたユーザ・プロファイル情報を利用する利用工程をさらに含む（１８０）項に記載のメディア・オブジェクト・プル方法。
（１９１）  前記修正された番組信号が、テレビと、ホーム・シアタ・システムと、コンピュータ・ワークステーションと、ビデオ提供装置と、パーソナル・データ・アシスタントと、バーチャル・リアリティ・システムと、オーディオ提供システムと、ゲーム・コンソールと、電話システムと、セット・トップ・ボックスとから成るグループから選択された少なくとも一つの装置を介して前記ユーザに提供される（１７８)項に記載のメディア・オブジェクト・プル方法。
（１９２）  前記番組信号修正工程が、さらに
前記メディア・オブジェクトの選択結果を送信システムに通信する通信工程と、
少なくとも一つのメディア・オブジェクト・クリエータによって前記送信システムに提供される第２のメディア・オブジェクトを選択するメディア・オブジェクト選択工程と、
その第２のメディア・オブジェクトを前記ユーザに提供するために受信システムに送信する送信工程と
を含み、前記第２のメディア・オブジェクトは、前記選択されたメディア・オブジェクトに関連するコンテンツを有する（１７８）項に記載のメディア・オブジェクト・プル方法。
（１９３）  前記番組信号修正工程が、
前記メディア・オブジェクトの選択結果をメディア・オブジェクト・クリエータに通信する通信工程と、
その選択されたメディア・オブジェクトであってターゲットが前記ユーザに設定されたものに関連するコンテンツを有する第２のメディア・オブジェクトを作成するメディア・オブジェクト作成工程と、
その第２のメディア・オブジェクトを前記修正された番組信号に組み込む組込み工程と、
前記修正された番組信号を前記ユーザに提供するために前記送信システムを介して受信システムに送信する送信工程と
をさらに含む（１７８）項に記載のメディア・オブジェクト・プル方法。
（１９４）  当該メディア・オブジェクト・プル方法が、前記修正された番組信号内において、前記選択されたメディア・オブジェクトと前記第２のメディア・オブジェクトとの提供を同期化する同期化工程をさらに含む（１９３）項に記載のメディア・オブジェクト・プル方法。
本発明のさらなる特徴および機能は、下記の詳細な説明、図面および特許請求の範囲を考慮すれば明らかとなる。